(57)【要約】      （修正有） 【課題】適所に移動可能な照明、暖房装置であるとともに、鉄板焼き加熱調理のための、卓上加熱調理用コンロとしての機能をも具備する加熱調理具兼用小型暖炉を提供する。【解決手段】暖炉本体１と、天板２と、煙突３とより構成し、暖炉本体は、前面に開口部を形成した箱状体で、底面板により下方は遮蔽され、上方は天板で遮蔽され、暖炉本体の前面の開口部には、通気孔兼照明窓１２として機能する複数個の窓を形成した前面扉により遮蔽され、天板には、背面寄りに変位した位置に、排気孔が形成され、該排気孔を包囲する筒状突起２２が装備され、煙突は、その下端部が筒体突起に挿入自在である。【選択図】図１
0003129853.tif 000002
【実用新案登録請求の範囲】
【請求項１】
暖炉本体と、天板と、煙突とより構成した小形暖炉において、
暖炉本体は、前面に開口部を形成した箱状体で、底面板により下方は遮蔽され、上方は天板で遮蔽され、
暖炉本体の前面の開口部には、通気孔兼照明窓として機能する複数個の窓を形成した前面扉により遮蔽され、
天板には、背面寄りに変位した位置に、排気孔が形成され、該排気孔を包囲する筒状突起が装備され、
煙突は、その下端部が前記筒体突起に挿入自在であり、
天板と暖炉本体とは密封状態に固定されて、開口は前面扉の通気孔兼照明窓と煙突の上端開口のみであり、
使用にあたっては、暖炉本体１内部に、網台４に載せて収容した燃焼状態の固形燃料に対して、暖炉本体の前面の開口部を遮蔽する前面扉の通気孔兼照明窓より燃焼用空気を供給し、天板より突出する煙突の先端開口より排気し、天板を加熱調理板として利用することを特徴とする加熱調理具兼用小形暖炉。
【請求項２】
暖炉本体と、天板と、煙突とより構成した小形暖炉において、
暖炉本体は、前面に開口部を形成した箱状体で、底面板により下方は遮蔽され、上方は天板で遮蔽され、
暖炉本体の前面の開口部には、通気孔兼照明窓として機能する複数個の窓を形成した前面扉により遮蔽され、
天板には、背面寄りに変位した位置に、排気孔が形成され、該排気孔を包囲する筒状突起が装備され、
煙突は、その下端部が前記筒体突起に挿入自在であり、
暖炉本体と天板とを着脱・分離を自在とし、
使用にあたっては、暖炉本体１内部に、網台４に載せて収容した燃焼状態の固形燃料に対して、暖炉本体の前面の開口部を遮蔽する前面扉の通気孔兼照明窓より燃焼用空気を供給し、天板より突出する煙突の先端開口より排気し、天板を加熱調理板として利用することとともに、
暖炉本体のみを分離して卓上こんろとしても利用可能としたことを
特徴とする加熱調理具兼用小形暖炉。
【請求項３】
第３考案は、第１考案または第２考案において、
天板を、暖炉本体の上面よりも広い面積として、暖炉本体の上端縁より鍔状に突出させていることを特徴とする請求項１または請求項２に記載する加熱調理具兼用小形暖炉。
【請求項４】
暖炉本体と、天板との間に、間隙を形成したことを特徴とする請求項１、２または３に記載する加熱調理具兼用小形暖炉。
【考案の詳細な説明】
【技術分野】
【０００１】
本願考案は、固形燃料を使用する小型暖炉に関するものである。より詳しくは、加熱調理具としも使用可能な多様途小型暖炉に関するものである。
【背景技術】
【０００２】
公知の多様途小型暖炉として、室内暖房用の暖炉の天板を加熱調理面としたものが存在する。
【０００３】
【特許文献１】特開２００６−１０５４７０号公開特許公報
【特許文献２】特開平１１−３３９５０２号公開特許公報
【考案の開示】
【考案が解決しようとする課題】
【０００４】
前記の特許文献１（特開２００６−１０５４７０号公開特許公報）「オンドル式食卓型暖炉」は、上面に加熱調理天板のスペースの機能を有することを特徴とするものではあるが、底面開口部にオンドル式床下暖房坑道を備え、固定式であり、室内を移動させて必要個所を局所暖房することはできない。
前記の特許文献２（特開平１１−３３９５０２号公開特許公報）「ガスバーナー式かがり火装置」は、適所に移動可能な照明、暖房装置であるが、加熱調理具としての機能は開示されていない。
また、食卓上に戴置可能とする小型卓上型コンロは、従来より公知である(例えば、飲食店、旅館等において鉄板焼き加熱調理を提供するための、卓上加熱調理用コンロ) 従来より公知である。
本考案は、適所に移動可能な照明、暖房装置であるとともに、加熱調理のための、卓上加熱調理用コンロとしての機能をも具備する加熱調理具兼用小型暖炉を提供することを課題とする。
【課題を解決するための手段】
【０００５】
本願第１考案は、暖炉本体と、天板と、煙突とより構成し、暖炉本体は、前面に開口部を形成した箱状体で、底面板により下方は遮蔽され、上方は天板で遮蔽され、暖炉本体の前面の開口部には、通気孔兼照明窓として機能する複数個の窓を形成した前面扉により遮蔽され、天板には、背面寄りに変位した位置に、排気孔が形成され、該排気孔を包囲する筒状突起が装備され、煙突は、その下端部が前記筒体突起に挿入自在である。
本願第２考案は、前記第１考案において、暖炉本体と天板とを着脱・分離を自在としたことを特徴とする。
第３考案は、第１考案または第２考案において、天板を、暖炉本体の上面よりも広い面積として、暖炉本体の上端縁より鍔状に突出させていることを特徴とする。
第４考案は、第３考案において、暖炉本体と、天板との間に、間隙を形成したことを特徴とする。
【考案の効果】
【０００６】
本考案は、固形燃料を使用する小型暖炉において、暖炉、オンドル、ランタン等の室内暖房，室内局部装飾照明器具としての機能に付加して、焼肉等の加熱調理器具としての使用をも可能とするものである。
また、暖炉本体のみを分離して使用可能として、卓上加熱調理器具としての使用をも可能とするものである。
【考案を実施するための最良の形態】
【０００７】
以下図面に示す実施例にもとづいて、本考案を詳細に説明する。
【０００８】
図１いし図７は、本願第１考案の実施例の加熱調理具兼用小型暖炉Ａを示し、暖炉本体１と、天板２と、煙突３とより構成する。  
【０００９】
暖炉本体１は、前面に開口部１１を形成した箱状体で、底面板１２により下方は遮蔽され、上方は天板２で遮蔽されている。
暖炉本体１の前面の開口部１１には、通気孔兼照明窓１２として機能する複数個の窓を形成した前面扉１３により遮蔽されている。
【００１０】
実施例においては、前面扉１３の通気孔兼照明窓１２を２列配置の６個の円形貫通穴12ａで構成したが、仮想線で示す菱形貫通穴12ｂを追加してもよいものである。前面扉１３は、本体扉13ａと取付板13ｂと両者を連結する上下一対の蝶番13ｃとで構成し、取付板13ｂを暖炉本体１の前面板１４の開口側縁14ａ近傍に固定する。
【００１１】
天板２には、背面寄りに変位した位置に、排気孔２１が形成され、該排気孔２１を包囲する筒状突起２２が装備されている。
また、天板２の表面の一部に五徳状突起２３が設けられている。
【００１２】
煙突３は、その下端部３ａが前記筒体突起２２に挿入自在である。
背面寄りに変位した位置で、煙突が天板に装備されていることで、天板による加熱鉄板調理は際し、調理作業は、中心に煙突が位置する場合に比して、容易である。
【００１３】
暖炉本体１と天板２と煙突３とは溶着等により密着状態に一体化されているので、開口は、前面扉１３の通気孔兼照明窓１２の２列配置の６個の円形貫通穴と、煙突３の頂面開口のみである。
【００１４】
使用にあたっては、暖炉本体１内部に、赤色加熱されて燃焼状態の無煙固形燃料６を網４に載せて収納することで、暖炉本体１を加熱させることで、室内を暖房するとともに、暖炉近傍を照明する。
【００１５】
図８ないし図１１は  本願第２、第３、第４、第５考案を示す、本願第２考案の実施例の加熱調理具兼用小型暖炉Ｂを示し、前記第１考案の加熱調理具兼用小型暖炉Ａにおいて、暖炉本体１と天板２とを着脱・分離を自在とする。
【００１６】
天板２を除去した状態では、図１０に示すごとく、従来の卓上こんろ、火鉢等として使用する。  
【００１７】
第３考案は、第１考案または第２考案において、天板1ｂを、暖炉本体の上面よりも広い面積として、暖炉本体の上端縁より鍔状に突出させる。その結果、加熱調理面を暖炉本体の上面に対し拡大する。
【００１８】
第４考案は、暖炉本体1ｂと、天板２との間に、間隙Ｇを形成する。
間隙Ｇより噴出す熱風で、暖炉本体の上端縁より鍔状に突出しているところの、天板1ｂの周辺部を過熱して、周辺部の加熱温度を上昇させ、鉄板加熱調理に際しての有効加熱面積を増大する。
【００１９】
暖炉本体を、実施例では、直方体形状の箱体としたが多角柱体、円柱等としてもよいことは勿論である。
【００２０】
きた、鉄製としたが、アルミ製、陶器製等の各種のこんろ材質を適用できることは勿論である。
【図面の簡単な説明】
【００２１】
【図１】本考案の第１実施例を示す加熱調理具兼用小型暖炉Ａの斜視図。
【図２】同じく正面図。
【図３】同じく図２のＳ2−Ｓ2による縦断面図。
【図４】同じく平面図。
【図５】同じく右側面図。
【図６】同じく図２のＳ1−Ｓ1による横断面図。
【図７】同じく使用状態を示す部分断面正面図。
【図８】本考案の第２実施例を示す加熱調理具兼用小型暖炉Ａの斜視図。
【図９】同じく縦断面図。
【図１０】同じく暖炉本体の斜視図。
【図１１】同じく天板の斜視図。
【符号の説明】
【００２２】
１    暖炉本体
２    天板
３    煙突
６    無煙固形燃料
１２  通気孔兼照明窓
２１  排気孔
２２  筒状突起
２３  五徳状突起
【図１】
0003129853.tif 000003
【図２】
0003129853.tif 000004
【図３】
0003129853.tif 000005
【図４】
0003129853.tif 000006
【図５】
0003129853.tif 000007
【図６】
0003129853.tif 000008
【図７】
0003129853.tif 000009
【図８】
0003129853.tif 000010
【図９】
0003129853.tif 000011
【図１０】
0003129853.tif 000012
【図１１】
0003129853.tif 000013